(57)【要約】【課題】アンテナ接続可能なコネクタを有する電子装置を提供する。【解決手段】本発明の電子装置は、無線通信データを受信する無線通信回路と、ＵＳＢタイプＣのソケット形状のコネクタと、を備え、コネクタは、外部コネクタに順方向又は逆方向に結合されるように開口部が形成されたハウジングと、開口部の内部に配置されて順方向に対応する複数の第１のピンが配置された第１の面及び逆方向に対応する複数の第２のピンが配置された第２の面を含む基板と、を含み、複数の第１のピンは第１のグラウンドピン及び第１の信号ピンを含み、複数の第２のピンは第２のグラウンドピン及び第２の信号ピンを含み、第１の信号ピンは特定の機能の回路及び無線通信回路に選択的に接続され、第２の信号ピンは第１の信号ピンの逆方向に対応して特定の機能の回路及び無線通信回路に選択的に接続される。【選択図】図４
2019061676.tif 000002
【特許請求の範囲】
【請求項１】
無線通信データを受信する無線通信回路と、
ユニバーサルシリアルバス（ＵＳＢ）タイプＣのソケット形状のコネクタと、を備え、
前記コネクタは、
前記コネクタの外面を形成し、ヘッダー形態の外部コネクタに順方向又は逆方向に結合されるように前記外面の少なくとも一部に開口部が形成されたハウジングと、
前記開口部の内部に配置され、前記順方向に対応する複数の第１のピンが配置された第１の面及び前記逆方向に対応する複数の第２のピンが配置された第２の面を含む基板と、を有し、
前記複数の第１のピンは、一つ以上の第１のグラウンドピン及び一つ以上の第１の信号ピンを含み、
前記複数の第２のピンは、一つ以上の第２のグラウンドピン及び一つ以上の第２の信号ピンを含み、
前記一つ以上の第１の信号ピンは、前記一つ以上の第１の信号ピンのうち、特定の機能の回路及び前記無線通信回路に選択的に接続される少なくとも一つの第１の信号ピンを含み、
前記一つ以上の第２の信号ピンは、前記一つ以上の第２の信号ピンのうち、前記少なくとも一つの第１の信号ピンの前記逆方向に対応し、前記特定の機能の回路及び前記無線通信回路に選択的に接続される少なくとも一つの第２の信号ピンを含むことを特徴とする電子装置。
【請求項２】
前記無線通信回路及び前記コネクタに電気的に接続される少なくとも一つのプロセッサを更に含み、
前記少なくとも一つのプロセッサは、前記少なくとも一つの第１の信号ピン又は前記少なくとも一つの第２の信号ピンを、前記特定の機能の回路及び前記無線通信回路のうちの対応する一つに選択的に接続するように設定することを特徴とする請求項１に記載の電子装置。
【請求項３】
前記一つ以上の第１の信号ピン又は前記一つ以上の第２の信号ピンのうちの少なくとも一つのピンに印加される電圧を感知する電圧感知回路を更に含み、
前記少なくとも一つのプロセッサは、前記電圧感知回路により感知された電圧に基づき、前記少なくとも一つの第１の信号ピン又は前記少なくとも一つの第２の信号ピンを、前記特定の機能の回路及び前記無線通信回路のうちの対応する一つに選択的に接続するように設定することを特徴とする請求項２に記載の電子装置。
【請求項４】
無線通信データを受信する無線通信回路と、
ユニバーサルシリアルバス（ＵＳＢ）タイプＣのソケット形状のコネクタと、を備え、
前記コネクタは、
前記コネクタの外面を形成し、ヘッダー形態の外部コネクタに順方向又は逆方向に結合されるように前記外面の少なくとも一部に開口部が形成されたハウジングと、
前記開口部の内部に配置され、前記順方向に対応する複数の第１のピンが配置された第１の面及び前記逆方向に対応する複数の第２のピンが配置された第２の面を含む基板と、を有し、
前記複数の第１のピンは、一つ以上の第１のグラウンドピン及び一つ以上の第１の信号ピンを含み、
前記複数の第２のピンは、一つ以上の第２のグラウンドピン及び一つ以上の第２の信号ピンを含み、
前記一つ以上の第１のグラウンドピンは、前記一つ以上の第１のグラウンドピンのうち、グラウンド及び前記無線通信回路に選択的に接続される少なくとも一つの第１のグラウンドピンを含み、
前記一つ以上の第２のグラウンドピンは、前記一つ以上の第２のグラウンドピンのうち、前記少なくとも一つの第１のグラウンドピンの前記逆方向に対応し、前記グラウンド及び前記無線通信回路に選択的に接続される少なくとも一つの第２のグラウンドピンを含むことを特徴とする電子装置。
【請求項５】
前記無線通信回路及び前記コネクタに電気的に接続される少なくとも一つのプロセッサを更に含み、
前記少なくとも一つのプロセッサは、前記少なくとも一つの第１のグラウンドピン又は前記少なくとも一つの第２のグラウンドピンを、前記グラウンド及び前記無線通信回路のうちの対応する一つに選択的に接続するように設定することを特徴とする請求項４に記載の電子装置。
【請求項６】
前記外部コネクタを有する外部装置は、前記無線通信データを受信するアンテナ、無線放送データを受信するアンテナ、及びデジタルマルチメディア放送（ＤＭＢ）データ又は周波数変調（ＦＭ）放送データを受信するアンテナを含むことを特徴とする請求項１又は４に記載の電子装置。
【請求項７】
前記コネクタは、ＵＳＢタイプＣソケットであり、
前記外部コネクタは、ＵＳＢタイプＣヘッダーであることを特徴とする請求項１又は４に記載の電子装置。
【請求項８】
前記一つ以上の第１の信号ピン及び前記一つ以上の第２の信号ピンのうちの少なくとも一つのピンに印加される電圧を感知する電圧感知回路を更に含み、
前記少なくとも一つのプロセッサは、前記電圧感知回路により感知された電圧に基づき、前記少なくとも一つの第１の信号ピン又は前記少なくとも一つの第２の信号ピンを、前記グラウンド及び前記無線通信回路のうちの対応する一つに選択的に接続するように設定することを特徴とする請求項５に記載の電子装置。
【請求項９】
無線通信データを受信する無線通信回路と、
ユニバーサルシリアルバス（ＵＳＢ）タイプＣのソケット形状のコネクタと、を備え、
前記コネクタは、
前記コネクタの外面を形成し、ヘッダー形態の外部コネクタに順方向又は逆方向に結合されるように前記外面の少なくとも一部に開口部が形成されたハウジングと、
前記開口部の内部に配置され、前記順方向に対応する複数の第１のピンが配置された第１の面及び前記逆方向に対応する複数の第２のピンが配置された第２の面を含む基板と、
前記基板の第１の側に配置され、前記外部コネクタに電気的に接続されて前記順方向に対応する第１のラッチピンと、
前記基板の第２の側に配置され、前記外部コネクタに電気的に接続されて前記逆方向に対応する第２のラッチピンと、を有し、
前記複数の第１のピンは、一つ以上の第１のグラウンドピン及び一つ以上の第１の信号ピンを含み、
前記複数の第２のピンは、一つ以上の第２のグラウンドピン及び一つ以上の第２の信号ピンを含み、
前記第１のラッチピン及び前記第２のラッチピンのうちの少なくとも一つは、前記無線通信回路に選択的に接続されることを特徴とする電子装置。
【請求項１０】
前記無線通信回路及び前記コネクタに電気的に接続される少なくとも一つのプロセッサを更に含み、
前記少なくとも一つのプロセッサは、前記第１のラッチピン及び前記第２のラッチピンのうちの少なくとも一つを、前記無線通信回路に選択的に接続するように設定することを特徴とする請求項９に記載の電子装置。
【請求項１１】
前記一つ以上の第１の信号ピン及び前記一つ以上の第２の信号ピンのうちの少なくとも一つのピンに印加される電圧を感知する電圧感知回路を更に含み、
前記少なくとも一つのプロセッサは、前記電圧感知回路により感知された電圧に基づき、前記第１のラッチピン及び前記第２のラッチピンのうちの少なくとも一つを、前記無線通信回路に選択的に接続するように設定することを特徴とする請求項１０に記載の電子装置。
【発明の詳細な説明】
【技術分野】
【０００１】
本発明は、電子装置のコネクタに関し、より詳細には、無線通信データを受信するためのアンテナと、特定の機能を実行するための外部装置を電子装置に接続させるアンテナ接続可能なコネクタを有する電子装置に関する。
【背景技術】
【０００２】
最近、多様な電子装置がユーザーに提供されており、ユーザーは多様な電子装置を携帯しつつ多様なコンテンツに接することができる。このような電子装置は、外部装置との接続のためのインターフェース（例えば、コネクタ）を具備し、インターフェースを通じて多様な外部装置に接続されて拡張した機能を提供する。電子装置は、多様なインターフェースに応じて多様なタイプのコネクタを含む。
【０００３】
多様なタイプのコネクタのうちの一部のコネクタ、例えば３．５Φアナログオーディオコネクタは、電子装置と無線通信データが受信可能なアンテナ（例えば、ＤＭＢ（Ｄｉｇｉｔａｌ  Ｍｕｌｔｉｍｅｄｉａ  Ｂｒｏａｄｃａｓｔｉｎｇ）アンテナ又はＦＭ（Ｆｒｅｑｕｅｎｃｙ  Ｍｏｄｕｌａｔｉｏｎ）アンテナ）との間の接続をサポートするが、他のコネクタ、例えばＵＳＢ（Ｕｎｉｖｅｒｓａｌ  Ｓｅｒｉａｌ  Ｂｕｓ）タイプＣコネクタは、電子装置とアンテナとの間の接続をサポートしないという問題点があった。
【０００４】
電子装置とアンテナとの間の接続をサポートしないコネクタは、電子装置にコネクタを通じて特定の機能をサポートするが、アンテナを利用する無線通信のデータ受信機能をサポートすることができない。
【先行技術文献】
【特許文献】
【０００５】
【特許文献１】米国特許出願公開第２０１５／０２４２３４９号明細書
【発明の概要】
【発明が解決しようとする課題】
【０００６】
本発明は、上記従来の問題点に鑑みてなされたものであって、本発明の目的は、特定の機能を実行する外部装置に接続すると共に、無線通信データ受信のためのアンテナ接続可能なコネクタを有する電子装置を提供することにある。
【課題を解決するための手段】
【０００７】
上記目的を達成するためになされた本発明の一態様による電子装置は、無線通信データを受信する無線通信回路と、ユニバーサルシリアルバス（ＵＳＢ）タイプＣのソケット形状のコネクタと、を備え、前記コネクタは、前記コネクタの外面を形成し、ヘッダー形態の外部コネクタに順方向又は逆方向に結合されるように前記外面の少なくとも一部に開口部が形成されたハウジングと、前記開口部の内部に配置され、前記順方向に対応する複数の第１のピンが配置された第１の面及び前記逆方向に対応する複数の第２のピンが配置された第２の面を含む基板と、を有し、前記複数の第１のピンは、一つ以上の第１のグラウンドピン及び一つ以上の第１の信号ピンを含み、前記複数の第２のピンは、一つ以上の第２のグラウンドピン及び一つ以上の第２の信号ピンを含み、前記一つ以上の第１の信号ピンは、前記一つ以上の第１の信号ピンのうち、特定の機能の回路及び前記無線通信回路に選択的に接続される少なくとも一つの第１の信号ピンを含み、前記一つ以上の第２の信号ピンは、前記一つ以上の第２の信号ピンのうち、前記少なくとも一つの第１の信号ピンの前記逆方向に対応し、前記特定の機能の回路及び前記無線通信回路に選択的に接続される少なくとも一つの第２の信号ピンを含む。
【０００８】
上記目的を達成するためになされた本発明の他の態様による電子装置は、無線通信データを受信する無線通信回路と、ユニバーサルシリアルバス（ＵＳＢ）タイプＣのソケット形状のコネクタと、を備え、前記コネクタは、前記コネクタの外面を形成し、ヘッダー形態の外部コネクタに順方向又は逆方向に結合されるように前記外面の少なくとも一部に開口部が形成されたハウジングと、前記開口部の内部に配置され、前記順方向に対応する複数の第１のピンが配置された第１の面及び前記逆方向に対応する複数の第２のピンが配置された第２の面を含む基板と、を有し、前記複数の第１のピンは、一つ以上の第１のグラウンドピン及び一つ以上の第１の信号ピンを含み、前記複数の第２のピンは、一つ以上の第２のグラウンドピン及び一つ以上の第２の信号ピンを含み、前記一つ以上の第１のグラウンドピンは、前記一つ以上の第１のグラウンドピンのうち、グラウンド及び前記無線通信回路に選択的に接続される少なくとも一つの第１のグラウンドピンを含み、前記一つ以上の第２のグラウンドピンは、前記一つ以上の第２のグラウンドピンのうち、前記少なくとも一つの第１のグラウンドピンの前記逆方向に対応し、前記グラウンド及び前記無線通信回路に選択的に接続される少なくとも一つの第２のグラウンドピンを含む。
【０００９】
上記目的を達成するためになされた本発明の更に他の態様による電子装置は、無線通信データを受信する無線通信回路と、ユニバーサルシリアルバス（ＵＳＢ）タイプＣのソケット形状のコネクタと、を備え、前記コネクタは、前記コネクタの外面を形成し、ヘッダー形態の外部コネクタに順方向又は逆方向に結合されるように前記外面の少なくとも一部に開口部が形成されたハウジングと、前記開口部の内部に配置され、前記順方向に対応する複数の第１のピンが配置された第１の面及び前記逆方向に対応する複数の第２のピンが配置された第２の面を含む基板と、前記基板の第１の側に配置され、前記外部コネクタに電気的に接続されて前記順方向に対応する第１のラッチピンと、前記基板の第２の側に配置され、前記外部コネクタに電気的に接続されて前記逆方向に対応する第２のラッチピンと、を有し、前記複数の第１のピンは、一つ以上の第１のグラウンドピン及び一つ以上の第１の信号ピンを含み、前記複数の第２のピンは、一つ以上の第２のグラウンドピン及び一つ以上の第２の信号ピンを含み、前記第１のラッチピン及び前記第２のラッチピンのうちの少なくとも一つは、無線通信回路に選択的に接続される。
【発明の効果】
【００１０】
本発明によれば、特定の機能を実行する特定の外部装置に接続されると共に、無線通信データ受信のためのアンテナに接続可能なコネクタを具現できる。このような電子装置は、無線通信データ受信のためのアンテナに接続可能なコネクタを介して特定の機能を実行する特定の外部装置に接続されて、特定の機能を実行するか又はアンテナに接続して無線通信データ、例えばデジタル放送データやＦＭ放送を受信する電子装置を提供することができる。
また、本発明の電子装置によれば、複数のピンのうちの一つのピンを特定の機能の回路及びアンテナを介して無線通信データを受信する無線通信回路のうちのいずれか一つに選択的に接続されるＵＳＢタイプＣコネクタを具備することができる。このような電子装置は、ＵＳＢタイプＣコネクタ以外に別のアンテナを脱着するための追加的なコネクタなしにＵＳＢタイプＣコネクタを用いて多様に特定の機能及びアンテナを介する無線通信データの受信機能を実行することができる。
【図面の簡単な説明】
【００１１】
【図１】本発明の一実施形態によるネットワーク環境における電子装置を示すブロック構成図である。
【図２】本発明の一実施形態による電子装置を示す斜視図である。
【図３Ａ】本発明の一実施形態による電子装置のコネクタ及び外部コネクタを示す斜視図である。
【図３Ｂ】本発明の一実施形態による電子装置のコネクタ及び外部コネクタの各々を示す断面図である。
【図４】本発明の一実施形態によるアンテナ接続が可能なコネクタを具備する電子装置を示すブロック構成図である。
【図５Ａ】本発明の一実施形態によるコネクタのピンを示す図である。
【図５Ｂ】本発明の一実施形態によるコネクタのピンを示す図である。
【図６Ａ】本発明の一実施形態によるラッチピンを有するコネクタを示す図である。
【図６Ｂ】本発明の一実施形態によるラッチピンを有するコネクタを示す図である。
【図７】本発明の一実施形態による電子装置におけるコネクタの少なくとも一つの信号ピンを無線通信回路に接続する動作を示すフローチャートである。
【図８】本発明の一実施形態によるコネクタの少なくとも一つの信号ピンが特定の機能回路又は無線通信回路に接続される例を示す図である。
【図９】本発明の他の実施形態による電子装置におけるコネクタの少なくとも一つのグラウンドピンを無線通信回路に接続する動作を示すフローチャートである。
【図１０】本発明の他の実施形態によるコネクタの少なくとも一つのグラウンドピンが無線通信回路に接続される例を示す図である。
【図１１】本発明の更に他の実施形態による電子装置におけるコネクタのラッチピンを無線通信回路に接続する動作を示すフローチャートである。
【図１２】本発明の一実施形態によるＩＣ（Ｉｎｔｅｇｒａｔｅｄ  Ｃｉｒｃｕｉｔ）の例を示す図である。
【発明を実施するための形態】
【００１２】
以下、本発明を実施するための形態の具体例を、図面を参照しながら詳細に説明する。
【００１３】
図面を参照した本明細書の下記の説明は、特許請求の範囲の記載及びこれと均等なものの範囲内で定められるような本発明の実施形態の包括的な理解を助けるために提供するものであり、この理解を助けるための様々な特定の詳細を含むが、単に一つの実施形態に過ぎない。従って、本発明の技術範囲及び趣旨を逸脱することなく、ここに説明する実施形態の様々な変更及び修正が可能であるということは、当該技術分野における通常の知識を有する者には明らかである。なお、公知の機能又は構成に関する具体的な説明は、明瞭性と簡潔性のために省略する。
【００１４】
次の説明及び請求項に使用する用語及び単語は、辞書的意味に限定されるものではなく、発明者により本発明の理解を明確且つ一貫性があるようにするために使用する。従って、本発明は特許請求の範囲とこれと均等なものに基づいて定義されるものであり、本発明の実施形態の説明が単に実施例を提供するためのものであって、本発明の目的を限定するものでないことは、本発明の技術分野における通常の知識を持つ者には明らかである。
【００１５】
本願明細書に記載の各要素は、文脈中に特に明示しない限り、複数形を含むことは、当業者には理解できるものである。従って、例えば“コンポーネント表面（ａ  ｃｏｍｐｏｎｅｎｔ  ｓｕｒｆａｃｅ）”との記載は、１つ又は複数の表面を含む。
【００１６】
図１は、本発明の一実施形態によるネットワーク環境における電子装置を示すブロック構成図である。
【００１７】
図１を参照すると、ネットワーク環境１００における電子装置１０１は、第１ネットワーク１９８（例えば、近距離無線通信）を介して電子装置１０２と通信するか、或いは第２ネットワーク１９９（例えば、遠距離無線通信）を介して電子装置１０４又はサーバ１０８と通信する。電子装置１０１は、サーバ１０８を介して電子装置１０４と通信する。電子装置１０１は、プロセッサ１２０、メモリ１３０、入力装置１５０、音響出力装置１５５、ディスプレイ装置１６０、オーディオモジュール１７０、センサモジュール１７６、インターフェース１７７、ハプティックモジュール１７９、カメラモジュール１８０、電力管理モジュール１８８、バッテリー１８９、通信モジュール１９０、加入者識別モジュール１９６、及びアンテナモジュール１９７を含む。一実施形態として、電子装置１０１には、この構成要素のうちの少なくとも一つ（例えば、ディスプレイ装置１６０又はカメラモジュール１８０）が省略されるか又は他の構成要素が追加される。一実施形態において、一部の構成要素は、例えばセンサモジュール１７６（例えば、指紋センサ、虹彩センサ、又は照度センサ）がディスプレイ装置１６０（例えば、ディスプレイ）に組み込まれるように、統合されて具現される。
【００１８】
プロセッサ１２０は、例えばソフトウェア（例えば、プログラム１４０）を駆動してプロセッサ１２０に接続される電子装置１０１の少なくとも一つの他の構成要素（例えば、ハードウェア又はソフトウェア構成要素）を制御し、多様なデータの処理及び演算を実行する。プロセッサ１２０は、他の構成要素（例えば、センサモジュール１７６又は通信モジュール１９０）から受信された命令又はデータを揮発性メモリ１３２にロードして処理し、結果データを不揮発性メモリ１３４に格納する。一実施形態によると、プロセッサ１２０は、メインプロセッサ１２１（例えば、中央処理装置又はアプリケーションプロセッサ）、及びこれと独立的にオペレーティングされて追加的に又は代替的にメインプロセッサ１２１よりも低電力を使用するか又は特定の機能に特化した補助プロセッサ１２３（例えば、グラフィック処理装置、イメージシグナルプロセッサ、センサーハブプロセッサ、又は通信プロセッサ）を含む。ここで、補助プロセッサ１２３は、メインプロセッサ１２１とは別個にオペレーティングされるか、或いは組み込まれてオペレーティングされる。
【００１９】
この場合、補助プロセッサ１２３は、例えばメインプロセッサ１２１が非アクティブ（例えば、スリープ）状態にある間にメインプロセッサ１２１の代わりに、或いはメインプロセッサ１２１がアクティブ（例えば、アプリケーション実行）状態にある間にメインプロセッサ１２１と共に、電子装置１０１の構成要素のうちの少なくとも一つ（例えば、ディスプレイ装置１６０、センサモジュール１７６、又は通信モジュール１９０）に関連する機能又は状態の少なくとも一部を制御する。一実施形態によると、補助プロセッサ１２３（例えば、イメージシグナルプロセッサ又は通信プロセッサ）は、機能的に関連する他の構成要素（例えば、カメラモジュール１８０又は通信モジュール１９０）の一部の構成要素として具現される。メモリ１３０は、電子装置１０１の少なくとも一つの構成要素（例えば、プロセッサ１２０又はセンサモジュール１７６）により使用される多様なデータ、例えばソフトウェア（例えば、プログラム１４０）及びこれに関連する命令に対する入力データ又は出力データを格納する。メモリ１３０は、揮発性メモリ１３２又は不揮発性メモリ１３４を含む。
【００２０】
プログラム１４０は、メモリ１３０に格納されるソフトウェアであって、例えばオペレーティングシステム１４２、ミドルウェア１４４、又はアプリケーション１４６を含む。
【００２１】
入力装置１５０は、電子装置１０１の構成要素（例えば、プロセッサ１２０）に使用される命令又はデータを電子装置１０１の外部（例えば、ユーザー）から受信するための装置であって、例えばマイク、マウス、又はキーボードが含まれる。
【００２２】
音響出力装置１５５は、音響信号を電子装置１０１の外部に出力するための装置であって、例えばマルチメディアの再生又は録音の再生のように一般的な用途で使用されるスピーカ及び電話受信専用として使用されるレシーバを含む。レシーバは、スピーカと一体に形成されるか又は別途に形成される。
【００２３】
ディスプレイ装置１６０は、電子装置１０１のユーザーに情報を視覚的に提供するための装置であって、例えばディスプレイ、ホログラム装置、プロジェクタ、及び該当装置を制御するための制御回路を含む。一実施形態によると、ディスプレイ装置１６０は、タッチ回路又はタッチに対する圧力の強さを測定する圧力センサを含む。
【００２４】
オーディオモジュール１７０は、音と電気信号とを双方向に変換する。オーディオモジュール１７０は、入力装置１５０を通じて音を獲得するか、或いは音響出力装置１５５又は電子装置１０１に有線又は無線で接続された外部の電子装置（例えば、電子装置１０２（例えば、スピーカ又はヘッドホン））を通じて音を出力する。
【００２５】
センサモジュール１７６は、電子装置１０１の内部の作動状態（例えば、電力又は温度）、又は外部の環境状態に対応する電気信号若しくはデータ値を生成する。センサモジュール１７６は、例えばジェスチャーセンサ、ジャイロセンサ、気圧センサ、磁気センサ、加速度センサ、グリップセンサ、近接センサ、カラーセンサ、ＩＲ（ｉｎｆｒａｒｅｄ）センサ、生体センサ、温度センサ、湿度センサ、又は照度センサを含む。
【００２６】
インターフェース１７７は、外部の電子装置（例えば、電子装置１０２）と有線又は無線で接続するための指定されたプロトコルをサポートする。一実施形態によると、インターフェース１７７は、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）、ＵＳＢインターフェース、ＳＤカードインターフェース、又はオーディオインターフェースを含む。
【００２７】
接続端子１７８は、電子装置１０１と外部の電子装置（例えば、電子装置１０２）とを物理的に接続させるコネクタ、例えばＨＤＭＩ（登録商標）コネクタ、ＵＳＢコネクタ、ＳＤカードコネクタ、又はオーディオコネクタ（例えば、ヘッドホンコネクタ）を含む。
【００２８】
ハプティックモジュール１７９は、電気信号をユーザーが触覚若しくは運動感覚を通じて認知する機械的刺激（例えば、振動又は動き）又は電気的刺激に変換する。ハプティックモジュール１７９は、例えばモータ、圧電素子、又は電気刺激装置を含む。
【００２９】
カメラモジュール１８０は、静止画像及び動画像を撮影する。一実施形態によると、カメラモジュール１８０は、一つ以上のレンズ、イメージセンサ、イメージシグナルプロセッサ、又はフラッシュを含む。
【００３０】
電力管理モジュール１８８は、電子装置１０１に供給される電力を管理するためのモジュールであって、例えばＰＭＩＣ（Ｐｏｗｅｒ  Ｍａｎａｇｅｍｅｎｔ  Ｉｎｔｅｇｒａｔｅｄ  Ｃｉｒｃｕｉｔ）の少なくとも一部で構成される。
【００３１】
バッテリー１８９は、電子装置１０１の少なくとも一つの構成要素に電力を供給するための装置であって、例えば再充電不可能な一次電池、再充電可能なニ次電池、又は燃料電池を含む。
【００３２】
通信モジュール１９０は、電子装置１０１と外部の電子装置（例えば、電子装置１０２、電子装置１０４、又はサーバ１０８）との間の有線又は無線通信チャンネルの確立、及び確立された通信チャンネルを介する通信の実行をサポートする。通信モジュール１９０は、プロセッサ１２０（例えば、アプリケーションプロセッサ）から独立的にオペレーティングされる有線通信又は無線通信をサポートする一つ以上の通信プロセッサを含む。一実施形態によると、通信モジュール１９０は、無線通信モジュール１９２（例えば、セルラー通信モジュール、近距離無線通信モジュール、又はＧＮＳＳ（Ｇｌｏｂａｌ  Ｎａｖｉｇａｔｉｏｎ  Ｓａｔｅｌｌｉｔｅ  Ｓｙｓｔｅｍ）通信モジュール）、又は有線通信モジュール１９４（例えば、ＬＡＮ（Ｌｏｃａｌ  Ａｒｅａ  Ｎｅｔｗｏｒｋ）通信モジュール又は電力線通信モジュール）を含み、そのうちの対応する通信モジュールを用いて第１ネットワーク１９８（例えば、ブルートゥース（登録商標）、ＷｉＦｉ  Ｄｉｒｅｃｔ、又はＩｒＤＡ（Ｉｎｆｒａｒｅｄ  Ｄａｔａ  Ａｓｓｏｃｉａｔｉｏｎ）のような近距離通信ネットワーク）又は第２ネットワーク１９９（例えば、セルラーネットワーク、インターネット、又はコンピュータネットワーク（例えば、ＬＡＮ又はＷＡＮ（Ｗｉｄｅ  Ａｒｅａ  Ｎｅｔｗｏｒｋ））のような遠距離通信ネットワーク）を介して外部の電子装置と通信する。上記した多様なタイプの通信モジュール１９０は、一つのチップで具現されるか又はそれぞれ別途のチップで具現される。
【００３３】
一実施形態によると、無線通信モジュール１９２は、加入者識別モジュール１９６に格納されたユーザー情報を用いて通信ネットワーク内で電子装置１０１を区別及び認証する。
【００３４】
アンテナモジュール１９７は、信号又は電力を外部に送信するか又は外部から受信するための一つ以上のアンテナを含む。一実施形態によると、通信モジュール１９０（例えば、無線通信モジュール１９２）は、通信方式に適合したアンテナを通じて信号を外部の電子装置に送信するか又は外部の電子装置から受信する。
【００３５】
上記構成要素のうちの一部は、周辺機器間の通信方式（例えば、バス、ＧＰＩＯ（Ｇｅｎｅｒａｌ  Ｐｕｒｐｏｓｅ  Ｉｎｐｕｔ／Ｏｕｔｐｕｔ）、ＳＰＩ（Ｓｅｒｉａｌ  Ｐｅｒｉｐｈｅｒａｌ  Ｉｎｔｅｒｆａｃｅ）、又はＭＩＰＩ（Ｍｏｂｉｌｅ  Ｉｎｄｕｓｔｒｙ  Ｐｒｏｃｅｓｓｏｒ  Ｉｎｔｅｒｆａｃｅ））を通じて相互に接続されて信号（例えば、命令又はデータ）を交換する。
【００３６】
一実施形態によると、命令又はデータは、第２ネットワーク１９９に接続されたサーバ１０８を通じて電子装置１０１と外部の電子装置１０４との間で送受信される。電子装置（１０２、１０４）は、それぞれ電子装置１０１と同一の又は異なるタイプの装置である。一実施形態によると、電子装置１０１で実行される動作の全部又は一部は、他の一つ又は複数の外部の電子装置で実行される。一実施形態によると、電子装置１０１が任意の機能又はサービスを自動で又はリクエストによって実行しなければならない場合、電子装置１０１は、機能又はサービスをそれ自体に実行させる代わりに又は追加的に、それに関連する少なくとも一部の機能を外部の電子装置にリクエストする。リクエストを受信した外部の電子装置は、リクエストされた機能又は追加機能を実行し、その結果を電子装置１０１に伝送する。電子装置１０１は、受信された結果をそのまま又は追加的に処理してリクエストされた機能又はサービスを提供する。このため、例えばクラウドコンピュータ、分散コンピュータ、又はクライアントサーバコンピュータ技術が使用される。
【００３７】
本発明の多様な実施形態による電子装置は、多様なタイプの装置として構成される。電子装置は、例えば携帯用通信装置（例えば、スマートフォン）、コンピュータ装置、携帯用マルチメディア装置、携帯用医療機器、カメラ、ウェアラブル装置、又は家電装置のうちの少なくとも一つを含むが、本発明の実施形態による電子装置は、上記の機器に限定されるものではない。
【００３８】
本発明の多様な実施形態及び使用される用語は、本明細書に記載された技術を特定の実施形態に限定するものではなく、当該実施形態の多様な変更、均等、及び／又は代替を含むものとして理解されなければならない。図面の説明に関連して、類似した構成要素に対して類似した参照符号を使用する。単数形は、文脈中で特に明示されない限り、複数形を含むことは、当業者には明らかなことである。本明細書では、“Ａ又はＢ”、“Ａ及び／又はＢのうちの少なくとも一つ”、“Ａ、Ｂ、又はＣ”又は“Ａ、Ｂ、及び／又はＣのうちの少なくとも一つ”などの表現は、列挙した項目の可能な全ての組合せを含む。“第１の”、“第２の”、“最初”、又は“２番目”のような表現は、対応する構成要素を順序又は重要度に関係なく修飾し、一つの構成要素を他の構成要素と区分するために使用するだけであって、対応する構成要素を限定するものではない。一つの（例えば、第１）構成要素が他の（例えば、第２）構成要素に“（機能的に又は通信的に）結合され”、又は“接続され”と記載する場合には、一つの構成要素が他の構成要素に直接的に接続されるか又は他の構成要素（例えば、第３の構成要素）を介して接続される。
【００３９】
図２は、本発明の一実施形態による電子装置を示す斜視図である。
【００４０】
図２を参照すると、３軸直交座標系の‘Ｘ’は電子装置２０１（例えば、図１の電子装置１０１）の幅方向、‘Ｙ’は電子装置２０１の長手方向、‘Ｚ’は電子装置２０１の厚さ方向を意味する。
【００４１】
電子装置２０１は、ハウジング２０１−１を含む。一実施形態によると、ハウジング２０２−１は、導電性部材及び／又は非導電性部材で形成される。電子装置２０１は、ハウジング２０１−１の少なくとも一部領域に露出する方式で配置されたタッチスクリーンディスプレイ２０１−２（例えば、図１のディスプレイ装置１６０）を含む。一実施形態によると、タッチスクリーンディスプレイ２０１−２は、圧力センサを含んで圧力反応型タッチスクリーンディスプレイとして動作する。電子装置２０１は、ハウジング２０１−１に配置され、相手の音声を出力するためのレシーバ２０１−３（例えば、図１の音響出力装置１５５）を含む。電子装置２０１は、ハウジング２０１−１の内部に配置され、相手にユーザーの音声を送信するためのマイクロホン装置２０１−４（例えば、図１の入力装置１５０）を含む。電子装置２０１は、タッチスクリーンディスプレイ２０１−２に露出されるか、或いはウィンドウを介して機能を実行するが露出しない方式で配置されて電子装置２０１の多様な機能を実行するための部品（ｃｏｍｐｏｎｅｎｔ）を含む。一実施形態によると、部品は少なくとも一つのセンサモジュール２０１−５（例えば、図１のセンサモジュール１７６）を含む。このようなセンサモジュール２０１−５は、例えば照度センサ（例えば、光センサ）、近接センサ（例えば、光センサ）、赤外線センサ、超音波センサ、指紋認識センサ、又は虹彩認識センサを含む。一実施形態によると、部品はカメラ装置２０１−６（例えば、図１のカメラモジュール１８０）を含む。一実施形態によると、部品は電子装置の状態情報をユーザーに視覚的に提供するためのインジケータ２０１−７（例えば、ＬＥＤ装置）を含む。一実施形態によると、このような部品のうちの少なくとも一つは、ハウジング２０１−１の少なくとも一部領域を通じて露出するように配置される。
【００４２】
電子装置２０１はマイクロホン装置２０１−４の一側に配置されるスピーカ装置２０１−８（例えば、図１の音響出力装置１５５）を含む。電子装置はマイクロホン装置２０１−４の他側に配置されて外部装置に接続可能にするイヤホンジャック２０１−１０及びコネクタ２０１−９（例えば、図１の接続端子１７８）を含む。コネクタ２０１−９は、ソケット形態のコネクタである。
【００４３】
開口部２０１−１９は、ハウジング２０１−１の少なくとも一部領域にコネクタ２０１−９が露出するように形成され、開口部２０１−１９内にコネクタ２０１−９が配置される。本実施形態によると、ヘッダー形状の外部コネクタ２０−９は、コネクタ２０１−９に順方向に又は逆方向に結合される（即ち、表又は裏の逆差しが可能）。外部コネクタ２０−９は外部装置２０に接続され、コネクタ２０１−９は外部コネクタ２０−９に結合され、電子装置２０１は外部装置２０（例えば、図１の電子装置１０２）に接続される。外部装置２０は、電子装置２０１に接続される多様な外部装置である。例えば、外部装置２０は、オーディオ装置、コンピュータ、充電器、メモリ、扇風機、又はアンテナ（例えば、デジタルマルチメディア放送アンテナ又はＦＭアンテナ）を含む。
【００４４】
図３Ａは、本発明の一実施形態による電子装置のコネクタ及び外部コネクタを示す斜視図である。
【００４５】
図３Ａを参照すると、本実施形態によるコネクタ３０３（例えば、図２の２０１−９）は、ソケット形状であって、コネクタ３０３の外面を形成し、外部コネクタ３０５（例えば、図２の外部コネクタ２０−９）のヘッダー３０５−１と順方向又は逆方向に結合されるように外面の少なくとも一部に開口部３０３−１ａが形成されたハウジング３０３−１を含む。コネクタ３０３は、開口部３０３−１ａの内部に基板３０３−５を含み、基板３０３−５は、順方向に対応する複数の第１のピンが配置された第１の面３０３−５ａ及び逆方向に対応する複数の第２のピンが配置された第２の面３０３−５ｂを含む。
【００４６】
本実施形態によると、コネクタ３０３は、外部コネクタ３０５の電気的接続又は物理的接続を可能にする第１及び第２のラッチピン（３０３−３ａ、３０３−３ｂ）を更に含む。第１及び第２のラッチピン（３０３−３ａ、３０３−３ｂ）の少なくとも一部は、外部コネクタ３０５が嵌め込まれる嵌込溝を含む。第１のラッチピン３０３−３ａは順方向に対応し、第２のラッチピン３０３−３ｂは逆方向に対応し、第１及び第２のラッチピン（３０３−３ａ、３０３−３ｂ）のうちの少なくとも一つは無線通信回路に選択的に接続される。
【００４７】
図３Ｂは、本発明の一実施形態による電子装置のコネクタ及び外部コネクタの各々を示す断面図である。
【００４８】
図３Ｂを参照すると、外部コネクタ３０５（例えば、図２の外部コネクタ２０−９）は、コネクタ３０３の基板３０３−５の複数のピンに一部結合される少なくとも一つ以上のピンを含む外部基板３０５−５を含む。例えば、外部基板３０５−５は、コネクタ３０３の基板３０３−５の複数の第１のピンとコネクタ３０３の基板３０３−５の複数の第２のピンのうちの少なくとも一部とが結合される少なくとも一つ以上のピンを含む。
【００４９】
外部コネクタ３０５は、コネクタ３０３に電気的接続又は物理的接続を可能にする第１のフック及び第２のフック（３０５−３ａ、３０５−３ｂを更に含む。第１のフック及び第２のフック（３０５−３ａ、３０５−３ｂ）の少なくとも一部は、コネクタ３０３の嵌込溝に嵌め込まれる。第１のフック３０５−３ａは順方向に対応し、第２のフック３０５−３ｂは逆方向に対応する。第１のフック３０５−３ａ又は第２のフック３０５−３ｂのうちの少なくとも一つは、第１及び第２のラッチピン（３０３−３ａ、３０３−３ｂ）のうちの少なくとも一つを通じて無線通信回路に選択的に接続される。
【００５０】
本発明の一実施形態によると、電子装置（例えば、図１の電子装置１０１又は図２の電子装置２０１）は、無線通信データを受信する無線通信回路（例えば、図１の通信モジュール１９０）と、ＵＳＢタイプＣのソケット形状のコネクタ（例えば、図１の接続端子１７８）と、を備え、コネクタは、コネクタの外面を形成し、ヘッダー形状の外部コネクタ（例えば、図２の外部コネクタ２０−９）に順方向に又は逆方向に結合されるように外面の少なくとも一部に開口部（例えば、図３Ａの開口部３０３−１ａ）が形成されたハウジング（例えば、図３Ａのハウジング３０３−１）と、開口部の内部に配置され、順方向に対応する複数の第１のピンが配置された第１の面及び逆方向に対応する複数の第２のピンが配置された第２の面を含む基板（例えば、図３Ａの基板３０３−５）と、を有し、複数の第１のピンは一つ以上の第１のグラウンドピン及び一つ以上の第１の信号ピンを含み、複数の第２のピンは一つ以上の第２のグラウンドピン及び一つ以上の第２の信号ピンを含み、一つ以上の第１の信号ピンは、一つ以上の第１の信号ピンのうち、特定の機能の回路及び無線通信回路に選択的に接続される少なくとも一つの第１の信号ピンを含み、一つ以上の第２の信号ピンは、一つ以上の第２の信号ピンのうち、少なくとも一つの第１の信号ピンの逆方向に対応し、特定の機能の回路（例えば、図１のオーディオモジュール１７０）及び無線通信回路（例えば、図１の通信モジュール１９０）に選択的に接続される少なくとも一つの第２の信号ピンを含む。
【００５１】
一実施形態によると、電子装置は、無線通信回路及びコネクタに電気的に接続される少なくとも一つのプロセッサを更に含み、少なくとも一つのプロセッサは、少なくとも一つの第１の信号ピン又は少なくとも一つの第２の信号ピンを、特定の機能の回路及び無線通信回路のうちの対応する一つの回路に選択的に接続するように設定する。
【００５２】
一実施形態によると、外部コネクタを有する外部装置は、無線通信データを受信するアンテナ（例えば、図１のアンテナモジュール１９７）を含む。
【００５３】
一実施形態によると、外部コネクタを有する外部装置は、無線放送データを受信するアンテナを含む。
【００５４】
一実施形態によると、外部コネクタを有する外部装置は、ＤＭＢデータ又はＦＭ放送データを受信するアンテナを含む。
【００５５】
一実施形態によると、コネクタは、ＵＳＢタイプＣのソケットであり、外部コネクタは、ＵＳＢタイプＣヘッダーである。
【００５６】
一実施形態によると、電子装置は、一つ以上の第１の信号ピン及び一つ以上の第２の信号ピンのうちの少なくとも一つのピンに印加される電圧を感知する感知回路（例えば、図１のインターフェース１７７又はＩＣ（Ｉｎｔｅｒｇｒａｔｅｄ  Ｃｉｒｃｕｉｔ））を更に含み、少なくとも一つのプロセッサは、電圧感知回路により感知された電圧に基づいて、少なくとも一つの第１の信号ピン又は少なくとも一つの第２の信号ピンを、特定の機能の回路及び無線通信回路のうちの対応する一つの回路に選択的に接続するように設定する。
【００５７】
本発明の他の実施形態によると、電子装置は、無線通信データを受信する無線通信回路と、ＵＳＢタイプＣのソケット形状のコネクタと、を備え、コネクタは、コネクタの外面を形成し、ヘッダー形状の外部コネクタに順方向又は逆方向に結合されるように外面の少なくとも一部に開口部が形成されたハウジングと、開口部の内部に配置され、順方向に対応する複数の第１のピンが配置された第１の面及び逆方向に対応する複数の第２のピンが配置された第２の面を含む基板と、を有し、複数の第１のピンは、一つ以上の第１のグラウンドピン及び一つ以上の第１の信号ピンを含み、複数の第２のピンは、一つ以上の第２のグラウンドピン及び一つ以上の第２の信号ピンを含み、一つ以上の第１のグラウンドピンは、一つ以上の第１のグラウンドピンのうち、グラウンド及び無線通信回路に選択的に接続される少なくとも一つの第１のグラウンドピンを含み、一つ以上の第２のグラウンドピンは、一つ以上の第２のグラウンドピンのうち、少なくとも一つの第１のグラウンドピンの逆方向に対応し、グラウンド及び無線通信回路に選択的に接続される少なくとも一つの第２のグラウンドピンを含む。
【００５８】
一実施形態によると、電子装置は、無線通信回路及びコネクタに電気的に接続される少なくとも一つのプロセッサを更に含む。少なくとも一つのプロセッサは、少なくとも一つの第１のグラウンドピン又は少なくとも一つの第２の信号ピンを、グラウンド及び無線通信回路のうちの少なくとも一つに選択的に接続するように設定する。
【００５９】
本実施形態によると、第１のグラウンドピン及び第２のグラウンドピンがそれぞれ外部コネクタ及び無線通信回路に接続された場合、外部コネクタに接続された外部アンテナにより受信される無線通信データに対応する信号は、第１のグラウンドピン及び第２のグラウンドピンのそれぞれを通じて無線通信回路に配信される。一実施形態によると、第１のグラウンドピン及び第２のグラウンドピンは、それぞれ異なる無線通信データに対応する信号を受信する。他の実施形態によると、第１のグラウンドピン及び第２のグラウンドピンの各々が外部コネクタを通じて外部アンテナに同時に接続され、第１のグラウンドピン及び第２のグラウンドピンの各々が外部アンテナに同時に接続される場合、第１のグラウンドピンと外部アンテナとは第１のアンテナの役割をし、第２のグラウンドピンと外部アンテナとは第２のアンテナの役割をするようにダイバーシティ（ｄｉｖｅｒｓｉｔｙ）アンテナが構成される。
【００６０】
本発明の更に他の実施形態によると、電子装置は、無線通信データを受信する無線通信回路と、ＵＳＢタイプＣのソケット形状のコネクタと、を備え、コネクタは、コネクタの外面を形成し、ヘッダー形状の外部コネクタに順方向又は逆方向に結合されるように外面の少なくとも一部に開口部が形成されたハウジングと、開口部の内部に配置され、順方向に対応する複数の第１のピンが配置された第１の面及び逆方向に対応する複数の第２のピンが配置された第２の面を含む基板と、基板の第１の側に配置され、外部コネクタに電気的に接続されて順方向に対応する第１のラッチピン（例えば、図３Ａ又は図３Ｂの第１のラッチピン３０３−３ａ）及び基板の第２の側に配置されて外部コネクタに電気的に接続されて逆方向に対応する第２のラッチピン（例えば、図３Ａ又は図３Ｂの第２のラッチピン３０３−３ｂ）と、を有し、複数の第１のピンは、一つ以上の第１のグラウンドピン及び一つ以上の第１の信号ピンを含み、複数の第２のピンは、一つ以上の第２のグラウンドピン及び一つ以上の第２の信号ピンを含み、第１のラッチピン及び第２のラッチピンのうちの少なくとも一つは無線通信回路に選択的に接続される。
【００６１】
一実施形態によると、電子装置は、無線通信回路及びコネクタに電気的に接続される少なくとも一つのプロセッサを更に含む。少なくとも一つのプロセッサは、第１のラッチピン及び第２のラッチピンのうちの少なくとも一つを、無線通信回路に選択的に接続するように設定する。
【００６２】
本実施形態によると、第１のラッチピン及び第２のラッチピンがそれぞれ外部コネクタ及び無線通信回路に接続された場合、外部コネクタに接続された外部アンテナにより受信される無線通信データに対応する信号は、第１のラッチピン及び第２のラッチピンのそれぞれを通じて無線通信回路に配信される。一実施形態によると、第１のラッチピン及び第２のラッチピンは、それぞれ異なる無線通信データに対応する信号を受信する。他の実施形態によると、第１のラッチピン及び第２のラッチピンが外部コネクタを通じて外部アンテナに同時に接続され、第１のラッチピン及び第２のラッチピンの各々が外部アンテナに同時に接続される場合、第１のラッチピンと外部アンテナとは第１のアンテナの役割をし、第２のラッチピンと外部アンテナとは第２のアンテナの役割をするようにダイバーシティアンテナが構成される。
【００６３】
図４は、本発明の一実施形態によるアンテナ接続が可能なコネクタを具備する電子装置を示すブロック構成図である。
【００６４】
図４を参照すると、電子装置４０１（例えば、図１の電子装置１０１又は図２の電子装置２０１）は、プロセッサ４２０、メモリ４３０、ディスプレイ４５０、オーディオモジュール４６０、通信モジュール４７０、インターフェース４８０、及びコネクタ４９０を含む。
【００６５】
プロセッサ４２０（例えば、図１のプロセッサ１２０）は、電子装置４０１の全般的な動作を制御する。プロセッサ４２０は、中央処理処置、アプリケーションプロセッサ、又は通信プロセッサ（Ｃｏｍｍｕｎｉｃａｔｉｏｎ  Ｐｒｏｃｅｓｓｏｒ（ＣＰ））のうちの一つ以上を含む。プロセッサ４２０は、例えば電子装置４０１の少なくとも一つの他の構成要素の制御及び／又は通信に関する演算又はデータ処理を実行する。
【００６６】
プロセッサ４２０は、コネクタ４９０（例えば、図２のコネクタ２０１−９又は図３Ａ及び図３Ｂのコネクタ３０３）を通じて外部コネクタ４９（例えば、図２の外部コネクタ２０−９又は図３Ａ及び図３Ｂの外部コネクタ３０５）に結合されることによって外部装置４０（例えば、図１の電子装置１０２又は図２の外部装置２０）の接続を認識する。一実施形態によると、プロセッサ４２０は、コネクタ４９０に含まれる複数の信号ピンのうちの少なくとも一つのピン、例えばＣＣ（Ｃｏｎｆｉｇｕｒａｔｉｏｎ  Ｃｈａｎｎｅｌ）ピンを通じて外部装置４０の接続を認識して外部装置４０を識別する。プロセッサ４２０は、外部装置４０の認識結果に基づき、コネクタ４９０の順方向の一つ以上の第１の信号ピンのうちの少なくとも一つ又はコネクタ４９０の逆方向の一つ以上の第２の信号ピンのうちの少なくとも一つを接続する回路を判定する。接続する回路は、特定モジュール、プロセッサ、又はグラウンドである。
【００６７】
プロセッサ４２０は、コネクタ４９０の少なくとも一つの第１の信号ピン又は少なくとも一つの第２の信号ピンに接続される回路として、特定の機能の回路（例えば、オーディオモジュール４８０）又は無線通信回路（例えば、通信モジュール４７０）のうちの一つを選択する。プロセッサ４２０は、選択に基づいてコネクタ４９０の少なくとも一つの第１の信号ピン又は少なくとも一つの第２の信号ピンを、特定の機能の回路に接続するか又は無線通信回路に接続するように制御する。例えば、プロセッサ４２０は、コネクタ４９０の少なくとも一つの第１の信号ピン又は少なくとも一つの第２の信号ピンを、オーディオモジュール４６０又は通信モジュール４７０のうちの一つに接続するように制御する。一実施形態によると、少なくとも一つの第１の信号ピン又は少なくとも一つの第２の信号ピンがオーディオモジュール４６０に接続された場合、少なくとも一つの第１の信号ピン又は少なくとも一つの第２の信号ピンを通じて、外部装置４０のマイクを通じて入力されたオーディオ信号がオーディオモジュール４６０に配信される。一実施形態によると、少なくとも一つの第１の信号ピン又は少なくとも一つの第２の信号ピンが通信モジュール４７０に接続された場合、外部装置４０のアンテナを介して受信された放送データ信号は、通信モジュール４７０に伝送される。一実施形態によると、放送データ信号は、ＤＭＢデータ信号又はＦＭ放送データ信号を含む。
【００６８】
他の実施形態によると、プロセッサ４２０は、コネクタ４９０の一つ以上の第１のグラウンドピンのうちの少なくとも一つ又は一つ以上の第２のグラウンドピンのうちの少なくとも一つに接続される回路を判定する。少なくとも一つの第１のグラウンドピン又は少なくとも一つの第２のグラウンドピンを接続する回路は、特定モジュール、プロセッサ、又はグラウンドである。
【００６９】
プロセッサ４２０は、コネクタ４９０の少なくとも一つの第１のグラウンドピン又は少なくとも一つの第２のグラウンドピンを、グラウンドに接続するか又は通信モジュール４７０に接続するかを判定する。プロセッサ４２０は、コネクタ４９０の少なくとも一つの第１のグラウンドピン又は少なくとも一つの第２のグラウンドピンをグラウンド又は通信モジュール４７０のうちの一つに接続するように制御する。
【００７０】
更に他の実施形態によると、プロセッサ４２０は、コネクタ４９０の少なくとも一つ以上のラッチピンに接続される信号を判定する。プロセッサ４２０は、コネクタ４９０の第１のラッチピン又は第２のラッチピンを通信モジュール４７０に接続するか否かを判定する。プロセッサ４２０は、コネクタ４９０の第１のラッチピン又は第２のラッチピンを通信モジュール４７０に接続するように制御する。
【００７１】
メモリ４３０（例えば、メモリ１３０）は、揮発性及び／又は不揮発性メモリを含む。メモリ４３０は、例えば電子装置４０１の少なくとも一つの他の構成要素に関連する命令又はデータを格納する。メモリ４３０は、ソフトウェア及び／又はプログラムを格納する。メモリ４３０は、プロセッサ４２０で実行される動作を実行するための命令（ｉｎｓｔｒｕｃｔｉｏｎ）を格納する。
【００７２】
ディスプレイ４５０（例えば、ディスプレイ装置１６０）は、電子装置４０１のユーザーに外部装置４０との接続の認識及び識別に関連する情報を視覚的に提供する。外部装置４０との接続により特定の機能を実行する場合、ディスプレイ４５０は、特定の機能の実行に関連する情報を表示し、外部装置４０との接続により放送データが受信される場合、受信される放送データに関する情報を表示する。
【００７３】
オーディオモジュール４６０（例えば、オーディオモジュール１７０）は、音と電気信号とを双方向に変換する処理を実行する。オーディオモジュール４６０は、コネクタ４９０の少なくとも一つの第１の信号ピン、少なくとも一つの第２の信号ピン、少なくとも一つの第１のグラウンドピン、少なくとも一つの第２のグラウンドピン、及び第１のラッチピン又は第２のラッチピンのうちのいずれか一つに接続され、接続されたピンを通じて外部装置４０（例えば、マイク等）からオーディオ信号を受信して処理する。
【００７４】
通信モジュール４７０は、無線通信データ信号を受信する無線通信回路を含む。無線通信データ信号は、放送データ信号を含む。例えば、放送データ信号は、ＤＭＢデータ信号又はＦＭデータ信号を含む。無線通信データを受信する通信回路は、コネクタ４９０の少なくとも一つの第１の信号ピン、少なくとも一つの第２の信号ピン、少なくとも一つの第１のグラウンドピン、少なくとも一つの第２のグラウンドピン、第１のラッチピン又は第２のラッチピンのうちのいずれか一つに接続され、接続されたピンを通じて外部装置４０（例えば、アンテナ）を用いて受信された無線通信データ信号を受信して処理する。例えば、アンテナは、ＤＭＢアンテナ、地上波ＤＭＢアンテナ、又はＦＭアンテナを含む。
【００７５】
インターフェース４８０（例えば、図１のインターフェース１７７）は、外部装置４０（例えば、図１の電子装置１０２又は図２の外部装置２０）に接続するための指定されたプロトコルをサポートする。一実施形態によると、インターフェース４８０は、ＵＳＢインターフェースを含み、ＵＳＢインターフェース処理を実行する電圧感知回路（例えば、ＩＣ（Ｉｎｔｅｒｇｒａｔｅｄ  Ｃｈｉｐ））４８２を含む。ＩＣ４８２は、コネクタ４９０の複数のピンのうちの外部コネクタ４９のピンに結合された少なくとも一つのピンを感知するか又は少なくとも一つのピンに印加された電圧を感知し、複数のピンのうちの外部コネクタ４９のピンに結合された少なくとも一つのピンがそれぞれ関連する回路に接続されるようにスイッチングを実行する。一実施形態によると、ＩＣ４８２は、コネクタ４９０の複数のピンのうちのＣＣピンに印加された電圧を感知し、感知された電圧に基づいてコネクタ４９０に接続された外部コネクタ４９（又は外部装置４０）を認識又は識別する。例えば、ＩＣ４８２は、ＭＵＩＣ（Ｍｉｃｒｏ−ＵＳＢ  Ｉｎｔｅｒｆａｃｅ  Ｃｏｎｔｒｏｌｌｅｒ）、ＣＣＩＣ（Ｃａｂｌｅ  ａｎｄ  Ｃｏｎｎｅｃｔ  ｏｒ  Ｉｎｔｅｒｇｒａｔｅｄ  Ｃｈｉｐ）、又はＰＤＩＣ（Ｐｏｗｅｒ  Ｄｅｌｉｖｅｒｙ  Ｉｎｔｅｒｇｒａｔｅｄ  Ｃｈｉｐ）のうちの少なくとも一つを含む。
【００７６】
コネクタ４９０（例えば、図１の接続端子１７８、図２のコネクタ２０１−９、又は図３Ａ及び図３Ｂのコネクタ３０３）は、外部装置４０の外部コネクタ４９に電気的に又は物理的に結合されて電子装置４０１と外部装置４０とを接続する。本実施形態によると、コネクタ４９０は、複数のピンを含むＵＳＢコネクタを含む。一実施形態によると、コネクタ４９０は、ＵＳＢタイプＣコネクタである。
【００７７】
図５Ａ及び図５Ｂは、本発明の一実施形態によるコネクタのピンを示す図である。
【００７８】
図５Ａを参照すると、本実施形態によるコネクタ５００（例えば、図１の接続端子１７８、図２のコネクタ２０１−９、図３Ａ及び図３Ｂのコネクタ３０３、又は図４のコネクタ４９０）は、ＵＳＢタイプＣコネクタである。コネクタ５００は、複数のピンを含む。コネクタ５００は、順方向に対応する第１の面（例えば、Ａ面）に複数の第１のピン及び逆方向に対応する第２の面（例えば、Ｂ面）に複数の第２のピンを含む。例えば、複数の第１のピンはＧＮＤピン５１１ａ、ＳＳＴＸｐ１ピン５１２ａ、ＳＳＴＸｎ１ピン５１３ａ、ＶＢＵＳピン５１４ａ、ＣＣピン５１５ａ、Ｄｐ１ピン５１６ａ、Ｄｎ１ピン５１７ａ、ＳＢＵ１ピン５１８ａ、ＶＢＵＳピン５１９ａ、ＳＳＲＸｎ２ピン５２０ａ、ＳＳＲＸｐ２ピン５２１ａ、及びＧＮＤピン５２２ａを含む。例えば、複数の第２のピンは、ＧＮＤピン５１１ｂ、ＳＳＴＸｐ２ピン５１２ｂ、ＳＳＴＸｎ２ピン５１３ｂ、ＶＢＵＳピン５１４ｂ、ＶＣＯＮＮピン５１５ｂ、Ｄｐ１ピン５１６ｂ、Ｄｎ１ピン５１７ｂ、ＳＢＵ２ピン５１８ｂ、ＶＢＵＳピン５１９ｂ、ＳＳＲＸｎ１ピン５２０ｂ、ＳＳＲＸｐ１ピン５２１ｂ、及びＧＮＤピン５２２ｂを含む。
【００７９】
一実施形態によると、複数の第１のピンは、一つ以上の第１のグラウンドピン、例えばＧＮＤピン（５１１ａ、５２２ａ）、一つ以上の第１の信号ピン、例えばＳＳＴＸｐ１ピン５１２ａ、ＳＳＴＸｎ１ピン５１３ａ、ＶＢＵＳピン５１４ａ、ＣＣピン５１５ａ、Ｄｐ１ピン５１６ａ、Ｄｎ１ピン５１７ａ、ＳＢＵ１ピン５１８ａ、ＶＢＵＳピン５１９ａ、ＳＳＲＸｎ２ピン５２０ａ、及びＳＳＲＸｐ２ピン５２１ａを含む。複数の第２のピンは一つ以上の第２のグラウンドピン、例えばＧＮＤピン（５１１ｂ、５２２ｂ）、一つ以上の第２の信号ピン、例えばＳＳＴＸｐ２ピン５１２ｂ、ＳＳＴＸｎ２ピン５１３ｂ、ＶＢＵＳピン５１４ｂ、ＶＣＯＮＮピン５１５ｂ、Ｄｐ１ピン５１６ｂ、Ｄｎ１ピン５１７ｂ、ＳＢＵ２ピン５１８ｂ、ＶＢＵＳピン５１９ｂ、ＳＳＲＸｎ１ピン５２０ｂ、ＳＳＲＸｐ１ピン５２１ｂを含む。
【００８０】
図５Ｂを参照すると、ＳＳＴＸｐ１ピン及びＳＳＴＸｐ２ピン（５１２ａ、５１２ｂ）並びにＳＳＴＸｎ１ピン及びＳＳＴＸｎ２ピン（５１３ａ、５１３ｂ）は、データの速い送信が可能なスーパースピード送信（ｓｕｐｅｒ  ｓｐｅｅｄ  ＴＸ）のためのピンであり、ＶＢＵＳピン（５１４ａ、５１４ｂ）はＵＳＢケーブル充電電源のためのピンである。ＣＣピン５１５ａは識別端子の役割をするピンであり、ＶＣＯＮＮピン５１５ｂはプラグ電力をサポートするためのピンであり、Ｄｐ１ピン（５１６ａ、５１６ｂ）及びＤｎ１ピン（５１７ａ、５１７ｂ）は、異なる双方向のＵＳＢ信号のためのピンである。ＳＢＵ１ピン及びＳＢＵ２ピン（５１８ａ、５１８ｂ）は、予備ピンとして多様な信号（例えば、オーディオ信号、ディスプレイ信号）用として使用可能なピンであり、ＳＳＲＸｎ２ピン及びＳＳＲＸｎ１ピン（５２０ａ、５２０ｂ）並びにＳＳＲＸｐ２ピン及びＳＳＲＸｐ１ピン（５２１ａ、５２１ｂ）は、データの速い受信が可能なスーパースピード受信（ｓｕｐｅｒ  ｓｐｅｅｄ  ＲＸ）のためのピンである。
【００８１】
一実施形態によると、一つ以上の第１の信号ピン、例えばＳＳＴＸｐ１ピン５１２ａ、ＳＳＴＸｎ１ピン５１３ａ、ＶＢＵＳピン５１４ａ、ＣＣピン５１５ａ、Ｄｐ１ピン５１６ａ、Ｄｎ１ピン５１７ａ、ＳＢＵ１ピン５１８ａ、ＶＢＵＳピン５１９ａ、ＳＳＲＸｎ２ピン５２０ａ、又はＳＳＲＸｐ２ピン５２１ａのうちの少なくとも一つの第１の信号ピンは、特定の機能回路（例えば、オーディオモジュール４６０）及び無線通信データ（例えば、放送データ）を受信する無線通信回路（例えば、通信モジュール４７０）に選択的に接続される。一つ以上の第２の信号ピン、例えばＳＳＴＸｐ２ピン５１２ｂ、ＳＳＴＸｎ２ピン５１３ｂ、ＶＢＵＳピン５１４ｂ、ＶＣＯＮＮピン５１５ｂ、Ｄｐ１ピン５１６ｂ、Ｄｎ１ピン５１７ｂ、ＶＢＵＳピン５１９ｂ、ＳＳＲＸｎ１ピン５２０ｂ、又はＳＳＲＸｐ１ピン５２１ｂのうちの少なくとも一つの第２の信号ピンは、特定の機能の回路（例えば、オーディオモジュール４６０）又は無線通信データ（例えば、放送データ）を受信する回路（例えば、通信モジュール４７０）に選択的に接続される。
【００８２】
一実施形態によると、一つ以上の第１のグラウンドピン、例えばＧＮＤピン（５１１ａ、５２２ａ）のうちの少なくとも一つの第１のグラウンドピンが無線通信データ（例えば、放送データ）を受信する通信モジュール４７０に選択的に接続され、一つ以上の第２のグラウンドピン、例えばＧＮＤピン（５１１ｂ、５２２ｂ）のうちの少なくとも一つの第２のグラウンドピンが無線通信データ（例えば、放送データ）を受信する通信モジュール４７０に選択的に接続される。
【００８３】
本実施形態によると、第１のＧＮＤピン（５１１ａ又は５２２ａ）及び第２のＧＮＤピン（５１１ｂ又は５２２ｂ）は、両方とも無線通信データ（例えば、放送データ）を受信する通信モジュール４７０に接続される。例えば、第１のＧＮＤピン（５１１ａ又は５２２ａ）及び第２のＧＮＤピン（５１１ｂ又は５２２ｂ）が両方共に外部コネクタ及び無線通信回路に接続された場合、外部コネクタに接続された外部アンテナにより受信される無線通信データに対応する信号は、第１のＧＮＤピン（５１１ａ又は５２２ａ）及び第２のＧＮＤピン（５１１ｂ又は５２２ｂ）の各々を通じて無線通信回路に配信される。一実施形態によると、第１のＧＮＤピン（５１１ａ又は５２２ａ）及び第２のＧＮＤピン（５１１ｂ又は５２２ｂ）は、それぞれ異なる無線通信データに対応する信号を受信する。他の実施形態によると、第１のＧＮＤピン（５１１ａ又は５２２ａ）及び第２のＧＮＤピン（５１１ｂ又は５２２ｂ）の各々は、外部コネクタを通じて外部アンテナに同時に接続される。第１のＧＮＤピン（５１１ａ又は５２２ａ）及び第２のＧＮＤピン（５１１ｂ又は５２２ｂ）の各々が外部アンテナに同時に接続される場合、第１のＧＮＤピン（５１１ａ又は５２２ａ）と外部アンテナとは第１のアンテナの役割をし、第２のＧＮＤピン（５１１ｂ又は５２２ｂ）と外部アンテナとは第２のアンテナの役割をするようにダイバーシティアンテナが構成される。
【００８４】
上記の実施形態では、第１の信号ピン及び第２の信号ピンと第１のグラウンドピン及び第２のグラウンドピンとが通信モジュール４７０に選択的に接続されるピンとして使用される例を説明したが、一実施形態によると、ラッチ構造の少なくとも一部が通信モジュール４７０に選択的に接続されるラッチピンとして指定され、ラッチピンが通信モジュール４７０に選択的に接続される。
【００８５】
図６Ａ及び図６Ｂは、本発明の一実施形態によるラッチピンを有するコネクタを示す図である。
【００８６】
図６Ａを参照すると、本実施形態によるコネクタ６００（例えば、図１の接続端子１７８、図２のコネクタ２０１−９、図３Ａ及び図３Ｂのコネクタ３０３、又は図４のコネクタ４９０）は、ＵＳＢタイプＣコネクタである。コネクタ６００は、複数の第１のピン６１１ａ〜６２２ａ及び複数の第２のピン６１１ｂ〜６２２ｂ以外に、第１のラッチピン６１１及び第２のラッチピン６１２を更に含む。
【００８７】
本実施形態によると、第１のラッチピン６１１及び第２のラッチピン６１２の各々は、外部コネクタ（例えば、図３Ａ及び図３Ｂの外部コネクタ３０５又は図４の外部コネクタ４９）に電気的又は物理的に結合されるために形成されるラッチ構造の少なくとも一部である。
【００８８】
例えば、第１のラッチピン６１１及び第２のラッチピン６１２は、それぞれコネクタ６００と外部コネクタ（例えば、図３Ａ及び図３Ｂの外部コネクタ３０５又は図４の外部コネクタ４９）とが結合される場合、無線通信回路（例えば、通信モジュール４７０）に選択的に接続される。
【００８９】
本実施形態によると、第１のラッチピン６１１及び第２のラッチピン６１２は、両方とも無線通信データ（例えば、放送データ）を受信する通信モジュール４７０に接続される。例えば、第１のラッチピン６１１及び第２のラッチピン６１２が両方共に外部コネクタ及び無線通信回路に接続された場合、外部コネクタに接続された外部アンテナにより受信される無線通信データに対応する信号は、第１のラッチピン６１１及び第２のラッチピン６１２の各々を通じて無線通信回路に配信される。一実施形態によると、第１のラッチピン６１１及び第２のラッチピン６１２は、それぞれ異なる無線通信データに対応する信号を受信する。他の実施形態によると、第１のラッチピン６１１及び第２のラッチピン６１２の各々は、外部コネクタを通じて外部アンテナに同時に接続される。第１のラッチピン６１１及び第２のラッチピン６１２の各々が外部アンテナに同時に接続される場合、第１のラッチピン６１１と外部アンテナとは第１のアンテナの役割をし、第２のラッチピン６１２と外部アンテナとは第２のアンテナの役割をするようにダイバーシティアンテナが構成される。
【００９０】
図６Ｂを参照すると、データの速い送信が可能なスーパースピード送信（ｓｕｐｅｒ  ｓｐｅｅｄ  ＴＸ）のためのピン（６１２ａ、６１２ｂ、６１３ａ、６１３ｂ）、ＵＳＢケーブル充電電源のためのピン（６１４ａ、６１４ｂ）、識別端子の役割をするピン６１５ａ、プラグ電力をサポートするためのピン６１５ｂ、異なる双方向のＵＳＢ信号のためのピン（６１６ａ、６１６ｂ、６１７ａ、６１７ｂ）、多様な信号（例えば、オーディオ信号、ディスプレイ信号など）用として使用される予備ピン（６１８ａ、６１８ｂ）、及びデータの速い受信が可能なスーパースピード受信（ｓｕｐｅｒ  ｓｐｅｅｄ  ＲＸ）のためのピン（６２０ａ、６２０ｂ、６２１ａ、５２１ｂ）に加えて、無線通信データを受信する用途（例えば、アンテナ用途）のピンとして第１のラッチピン６１１及び第２のラッチピン６１２が更に指定される。一実施形態によると、無線通信データ信号は、放送データ信号を含む。例えば、放送データ信号は、ＤＭＢデータ信号又はＦＭデータ信号を含む
【００９１】
本発明の一実施形態によると、電子装置（例えば、図１の電子装置１０１、図２の電子装置２０１、又は図４の電子装置４０１）におけるコネクタ（例えば、図１の接続端子１７８、図２のコネクタ２０１−９、図３Ａ及び図３Ｂのコネクタ３０３、又は図４のコネクタ４９０）を用いる接続方法は、コネクタの複数の信号ピンのうちの順方向に対応する少なくとも一つの第１の信号ピン又は逆方向に対応する少なくとも一つの第２の信号ピンに接続される回路が特定の機能の回路（例えば、図１のオーディオモジュール１７０、又は図４のオーディオモジュール４６０）であるか又は無線通信回路（例えば、図１の通信モジュール１９０、又は図４の通信モジュール４７０）であるかを判定する動作と、少なくとも一つの第１の信号ピンを特定の機能の回路及び無線通信回路に選択的に接続するか又は少なくとも一つの第２の信号ピンを特定の機能の回路及び無線通信回路に選択的に接続するように制御する動作と、を含む。
【００９２】
図７は、本発明の一実施形態による電子装置におけるコネクタの少なくとも一つの信号ピンを無線通信回路に接続する動作を示すフローチャートである。
【００９３】
図７を参照すると、電子装置４０１（例えば、図１の電子装置１０１）は、ステップ７１０において、外部装置４０（例えば、図１の電子装置１０２、図２の外部装置２０）の接続を認識する。電子装置４０１は、コネクタ４９０（例えば、図１の接続端子１７８、図２のコネクタ２０１−９、図３Ａ及び図３Ｂのコネクタ３０３、図５Ａのコネクタ５００、又は図６Ａのコネクタ６００）の一つ以上の信号ピンのうちのＣＣピン（例えば、図５Ａの５１５ａ、又は図６Ａの６１５ａ）を通じて外部装置４０の接続を認識して外部装置４０を識別する。例えば、電子装置４０１は、電圧感知回路（ＩＣ）（例えば、図４のＩＣ４８２）を通じてＣＣピンに印加された電圧を感知し、感知された電圧レベルに基づいて接続された外部装置４０を識別する。
【００９４】
電子装置４０１は、ステップ７２０において、コネクタ４９０の複数の信号ピンのうちの少なくとも一つの信号ピンに接続される回路を判定する。本実施形態によると、少なくとも一つの信号ピンを接続する回路は、特定モジュール、プロセッサ、又はグラウンドである。
【００９５】
電子装置４０１は、ＣＣピンに印加された電圧レベルに基づき、コネクタ４９０の一つ以上の第１の信号ピン（例えば、図５Ａ及び図５Ｂの５１２ａ〜５２１ａ又は図６Ａ及び図６Ｂの６１２ａ〜６２１ａ）のうちの少なくとも一つ、又はコネクタ４９０の一つ以上の第２の信号ピン（例えば、図５Ａ及び図５Ｂの５１２ｂ〜５２１ｂ又は図６Ａ及び図６Ｂの６１２ｂ〜６２１ｂ）のうちの少なくとも一つに接続される回路を判定する。
【００９６】
電子装置４０１は、ステップ７３０において、少なくとも一つの信号ピンに特定の機能の回路又は無線通信回路が接続されるように制御する。電子装置４０１は、ステップ７３０において、少なくとも一つの信号ピンに接続される回路が特定の機能の回路であるか又は無線通信回路であるかを判定する。例えば、特定の機能の回路は、オーディオモジュール（例えば、図４のオーディオモジュール４６０）を含む。
【００９７】
無線通信回路は、通信モジュール（例えば、図４の通信モジュール４７０）を含む。一実施形態によると、無線通信データ信号は、放送データ信号を含む。例えば、放送データ信号は、ＤＭＢデータ信号又はＦＭデータ信号を含む。
【００９８】
図８は、本発明の一実施形態によるコネクタの少なくとも一つの信号ピンが特定の機能の回路又は無線通信回路に接続される例を示す図である。
【００９９】
図８を参照すると、コネクタ８００（例えば、図１の接続端子１７８、図２のコネクタ２０１−９、図３Ａ及び図３Ｂのコネクタ３０３、図４のコネクタ４９０、図５Ａのコネクタ５００、又は図６Ａのコネクタ６００）のＳＢＵ１ピン８１８ａ及びＳＢＵ２ピン８１８ｂは、それぞれオーディオ入力機能の回路（例えば、マイク信号を受信する回路）又は無線通信回路（例えば、放送データを受信する回路）に接続される。一実施形態によると、ＳＢＵ１ピン８１８ａ及びＳＢＵ２ピン８１８ｂは、それぞれマイク信号を受信するオーディオモジュール４６０に接続されるか又は無線通信データ信号を受信する通信モジュール４７０に接続される。ＳＢＵ１ピン８１８ａ及びＳＢＵ２ピン８１８ｂの各々がオーディオモジュール４６０に接続される場合、外部装置（例えば、マイク）からマイク信号を受信してオーディオモジュール４６０に配信する。ＳＢＵ１ピン８１８ａ及びＳＢＵ２ピン８１８ｂの各々が通信モジュール４７０に接続される場合、外部装置（例えば、アンテナ）を通じて受信された無線通信データ信号を通信モジュール４７０に配信する。本実施形態によると、ＳＢＵ１ピン８１８ａ及びＳＢＵ２ピン８１８ｂの各々は、オーディオ入力機能の回路又は無線通信回路に接続されない場合、アナロググラウンドに接続される。
【０１００】
本発明の他の実施形態によると、電子装置（例えば、図１の電子装置１０１、図２の電子装置２０１、又は図４の電子装置４０１）におけるコネクタ（例えば、図１の接続端子１７８、図２のコネクタ２０１−９、図３Ａ及び図３Ｂのコネクタ３０３、又は図４のコネクタ４９０）を利用する接続方法は、コネクタの複数の信号ピンのうちの順方向に対応する少なくとも一つの第１のグラウンドピン又は逆方向に対応する少なくとも一つの第２のグラウンドピンに接続される回路が無線通信回路であるか否かを判定する動作と、少なくとも一つの第１のグラウンドピンをグラウンド及び無線通信回路に選択的に接続するか又は少なくとも一つの第２のグラウンドピンをグラウンド及び無線通信回路に選択的に接続するように制御する動作と、を含む。
【０１０１】
図９は、本発明の他の実施形態による電子装置におけるコネクタの少なくとも一つのグラウンドピンを無線通信回路に接続する動作を示すフローチャートである。
【０１０２】
図９を参照すると、電子装置（例えば、図１の１０１、図２の電子装置２０１、又は図４の電子装置４０１）は、ステップ９１０において、外部装置４０（例えば、図１の電子装置１０２、図２の外部装置２０）の接続を認識する。電子装置４０１は、コネクタ４９０（例えば、図１の接続端子１７８、図２のコネクタ２０１−９、図３Ａ及び図３Ｂのコネクタ３０３、図５Ａのコネクタ５００、又は図６Ａのコネクタ６００）の一つ以上の信号ピンのうちのＣＣピン（例えば、図５Ａの５１５ａ、又は図６Ａの６１５ａ）を通じて外部装置４０の接続を認識して外部装置４０を識別する。例えば、電子装置４０１は、電圧感知回路（ＩＣ）（例えば、図４のＩＣ４８２）を通じてＣＣピンに印加された電圧を感知し、感知された電圧レベルに基づいて接続された外部装置４０を識別する。
【０１０３】
電子装置４０１は、ステップ９２０において、コネクタ４９０の複数の信号ピンのうちの少なくとも一つのグラウンドピンに接続される回路を判定する。電子装置４０１は、ＩＣ４８２により感知されたＣＣピン（例えば、図５Ａの５１５ａ、又は図６Ａの６１５ａ）に印加された電圧レベルに基づき、コネクタ４９０の一つ以上の第１のグラウンドピン（例えば、図５Ａ及び図５Ｂのグラウンドピン５１１ａ、５２２ａ）のうちの少なくとも一つ、又はコネクタ４９０の一つ以上の第２のグラウンドピン（例えば、図５Ａ及び図５Ｂの５１１ｂ、５２２ｂ）のうちの少なくとも一つに接続される回路を判定する。一実施形態によると、少なくとも一つのグラウンドピンに接続される回路は、特定モジュール、プロセッサ、又はグラウンドである。電子装置は、少なくとも一つのグラウンドピンに接続される回路が無線通信データ信号を受信する無線通信回路であるか又はグラウンドであるかを判定する。一実施形態によると、無線通信データ信号は、放送データ信号を含む。例えば、放送データ信号は、ＤＭＢデータ信号又はＦＭデータ信号を含む。
【０１０４】
電子装置４０１は、ステップ９３０において、上記判定に基づいて少なくとも一つのグラウンドピンをグラウンド又は無線通信回路（例えば、図４の通信モジュール４７０）に接続するように制御する。
【０１０５】
図１０は、本発明の他の実施形態によるコネクタの少なくとも一つのグラウンドピンが無線通信回路に接続される例を示す図である。
【０１０６】
図１０を参照すると、コネクタ１０００（例えば、図１の接続端子１７８、図２のコネクタ２０１−９、図３Ａ及び図３Ｂのコネクタ３０３、図４のコネクタ４９０、図５Ａのコネクタ５００、又は図６Ａのコネクタ６００）のＧＮＤピン（１０１１ａ、１０２２ａ、１０１１ｂ、１０２２ｂ）のうちの少なくとも一つの第１のグラウンドピン（１０１１ａ又は１０２２ａ）がグラウンド及び無線通信回路のうちのいずれか一つに選択的に接続されるか、或いは少なくとも一つの第２のグラウンドピン（１０２２ａ又は１０２２ｂ）がグラウンド及び無線通信回路のうちのいずれか一つに選択的に接続される。
【０１０７】
ＧＮＤピン（１０１１ａ、１０２２ａ、１０１１ｂ、１０２２ｂ）のうちの無線通信回路に接続されるピンは、外部装置（例えば、アンテナ）を介して受信された無線通信データ信号（例えば、放送データ信号）を無線通信回路（例えば、通信モジュール４７０）に配信する。
【０１０８】
本発明の更に他の実施形態によると、電子装置（例えば、図１の電子装置１０１、図２の電子装置２０１、又は図４の電子装置４０１）におけるコネクタ（例えば、図１の接続端子１７８、図２のコネクタ２０１−９、図３Ａ及び図３Ｂのコネクタ３０３、又は図４のコネクタ４９０）を用いる接続方法は、コネクタの複数の信号ピンのうちの順方向に対応する少なくとも一つの第１のラッチピン又は逆方向に対応する少なくとも一つの第２のラッチピンに接続される回路が無線通信回路（例えば、図１の通信モジュール１９０、又は図４の通信モジュール４７０）であるか否かを判定する動作と、少なくとも一つの第１のラッチピンを無線通信回路に接続するか又は少なくとも一つの第２のラッチピンを無線通信回路に接続するように制御する動作と、を含む。
【０１０９】
図１１は、本発明の更に他の実施形態による電子装置におけるコネクタのラッチピンを無線通信回路に接続する動作を示すフローチャートである。
【０１１０】
図１１を参照すると、電子装置（例えば、図１の電子装置１０１、図２の電子装置２０１、又は図４の電子装置４０１）は、ステップ１１１０において、外部装置４０（例えば、図１の電子装置１０２、図２の外部装置２０）の接続を認識する。電子装置４０１は、コネクタ４９０（例えば、図１の接続端子１７８、図２のコネクタ２０１−９、図３Ａ及び図３Ｂのコネクタ３０３、図５Ａのコネクタ５００、又は図６Ａのコネクタ６００）の一つ以上の信号ピンのうちのＣＣピン（例えば、図５の５１５ａ、又は図６の５１５ａ）を通じて外部装置４０の接続を認識して外部装置４０を識別する。例えば、電子装置４０１は、ＣＣピンに接続された電圧感知回路（ＩＣ）（例えば、図４のＩＣ４８２）を通じてＣＣピンに印加された電圧を感知し、感知された電圧レベルに基づいて接続された外部装置４０を識別する。
【０１１１】
電子装置４０１は、ステップ１１２０において、コネクタ４９０のラッチピン（例えば、図６の第１のラッチピン６１１又は第２のラッチピン６１２）を無線通信回路に接続するか否かを判定する。電子装置４０１は、第１のラッチピン６１１又は第２のラッチピン６１２を無線通信データが受信される通信モジュール４７０に接続するか否かを判定する。電子装置４０１は、ＩＣ４８２により感知されたＣＣピン（例えば、図５Ａの５１５ａ、又は図６Ａの６１５ａ）に印加された電圧レベルに基づいてコネクタ４９０の第１のラッチピン６１１又は第２のラッチピン６１２を通信モジュール４７０に接続するか否かを判定する。例えば、電子装置４０１は、電圧レベルが予め設定されたレベルである場合、第１のラッチピン６１１又は第２のラッチピン６１２を無線通信データが受信される通信モジュール４７０に接続すると判定する。
【０１１２】
電子装置４０１は、第１のラッチピン６１１又は第２のラッチピン６１２が無線通信回路に接続されると判断された場合、ステップ１１３０において、第１のラッチピン６１１又は第２のラッチピン６１２が無線通信回路に接続されるように制御する。例えば、電子装置４０１は、第１のラッチピン６１１又は第２のラッチピン６１２を無線通信データが受信される通信モジュール４７０に接続するように制御する。一実施形態によると、無線通信データ信号は、放送データ信号を含む。例えば、放送データ信号は、ＤＭＢデータ信号又はＦＭデータ信号を含む
【０１１３】
図１２は、本発明の一実施形態によるＩＣの例を示す。
【０１１４】
図１２を参照すると、本実施形態によるＩＣ１２８２（例えば、図４のＩＣ４８２）は、コネクタ４９０の複数のピン（例えば、図５Ａ及び図５Ｂの５１１ａ〜５２２ａ及び５１１ｂ〜５２２ｂ、又は図６Ａ及び図６Ｂの６１１ａ〜６２２ａ及び６１１ｂ〜６２２ｂ）の各々に接続される複数の入力端子（Ａ１、Ａ２、Ａ３、Ａ４、Ａ６、Ａ７、Ａ８、Ａ９、Ａ１０、Ａ１１、Ａ１２、及びＢ１、Ｂ２、Ｂ３、Ｂ４、Ｂ６、Ｂ７、Ｂ８、Ｂ９、Ｂ１０、Ｂ１１、Ｂ１２）を含み、残りの入力端子（１、２、３、４、５、６、７）を含む。一実施形態によると、ＩＣ１２８２は、コネクタ４９０の第１のラッチピン（例えば、図６Ａ及び図６Ｂの６１１）及び第２のラッチピン（例えば、図６Ａ及び図６Ｂの６１２）の各々に対応するアンテナ用入力端子（Ａ１３、Ｂ１３）（１２８２−１、１２８２−２）を更に含む。
【０１１５】
本実施形態によると、ＩＣ１２８２は、コネクタ４９０の複数のピンのうちの外部コネクタ４９のピンに結合される少なくとも一つのピンを感知し、少なくとも一つのピンに印加された電圧を感知し、複数のピンのうちの外部コネクタ４９のピンに結合された少なくとも一つのピンを各々関連する回路に接続するスイッチング動作を実行する。一実施形態によると、ＩＣ１２８２は、コネクタ４９０の複数のピンのうちのＣＣ１ピンに対応する入力端子Ａ５又はＣＣ２に対応する入力端子Ｂ５に印加された電圧を感知し、感知された電圧に基づいてコネクタ４９０に接続された外部コネクタ４９（又は外部装置４０）を認識又は識別する。例えば、ＩＣ１２８２は、ＭＵＩＣ、ＣＣＩＣ、又はＰＤＩＣのうちの少なくとも一つを含む。
【０１１６】
本明細書で開示した構成要素の各々は、一つ以上の部品（ｃｏｍｐｏｎｅｎｔ）で構成され、当該構成要素の名称は電子装置のタイプに応じて変わる。多様な実施形態で、電子装置は、本明細書に記載した構成要素のうちの少なくとも一つを含んで構成され、一部の構成要素が省略されるか又は追加的な他の構成要素を更に含む。また、本発明の実施形態による電子装置の構成要素のうちの一部が結合されて一つのエンティティで構成されることによって、結合される前の当該構成要素の機能を同一に実行する。
【０１１７】
本明細書で使用される用語“モジュール”は、例えばハードウェア、ソフトウェア、又はファームウェアのうちの一つ以上の組合せを含む単位を意味する。“モジュール”は、例えばユニット、ロジック、論理ブロック、部品、又は回路などの用語に置き換えて使用される。“モジュール”は、一体で構成された部品の最小単位又はその一部である。“モジュール”は、一つ以上の機能を実行する最小単位又はその一部である。“モジュール”は機械的に又は電子的に具現される。例えば、“モジュール”は、任意の動作を実行するＡＳＩＣ（Ａｐｐｌｉｃａｔｉｏｎ−Ｓｐｅｃｉｆｉｃ  Ｉｎｔｅｇｒａｔｅｄ  Ｃｉｒｃｕｉｔ）チップ、ＦＰＧＡ（Ｆｉｅｌｄ−Ｐｒｏｇｒａｍｍａｂｌｅ  Ｇａｔｅ  Ａｒｒａｙｓ）、又はプログラマブル論理装置のうちの少なくとも一つを含む。
【０１１８】
本発明の実施形態による装置（例えば、モジュール又はその機能）又は方法（例えば、動作）の少なくとも一部は、例えばプログラムモジュールの形態でコンピュータ読み取り可能な記録媒体に格納される命令語で具現される。命令語がプロセッサ（例えば、プロセッサ１２０）により実行される場合、一つ以上のプロセッサが命令語に対応する機能を遂行する。コンピュータ読み取り可能な記録媒体は、例えばメモリ１３０である。
【０１１９】
本発明の実施形態によると、コンピュータ読み取り可能な記録媒体に格納されたプログラムは、無線通信データを受信する無線通信回路及びＵＳＢタイプＣのソケット形状のコネクタ、及び少なくとも一つのプロセッサを含む電子装置において、少なくとも一つのプロセッサを用いて、コネクタの複数の信号ピンのうちの順方向に対応する少なくとも一つの第１の信号ピン又は逆方向に対応する少なくとも一つの第２の信号ピンに接続される回路が特定の機能の回路であるか又は無線通信回路であるかを判定する動作と、少なくとも一つの第１の信号ピンを特定の機能の回路又は無線通信回路に選択的に接続するか又は少なくとも一つの第２の信号ピンを特定の機能の回路又は無線通信回路に選択的に接続するように制御する動作を実行する。
【０１２０】
コンピュータ読み取り可能な記録媒体は、ハードディスク、フロッピー（登録商標）ディスク、磁気メディア（例えば、磁気テープ）、光記録媒体（ｏｐｔｉｃａｌ  ｍｅｄｉａ）（例えば、ＣＤ−ＲＯＭ、ＤＶＤ（Ｄｉｇｉｔａｌ  Ｖｅｒｓａｔｉｌｅ  Ｄｉｓｃ）、磁気光媒体（例えば、フロプティカルディスク（ｆｌｏｐｔｉｃａｌ  ｄｉｓｋ））、ハードウェア装置（例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、又はフラッシュメモリ）などを含む。また、プログラム命令は、コンパイラにより生成されるような機械語コードだけでなくインタプリタなどを用いてコンピュータにより実行される高級言語コードを含む。ハードウェア装置は、多様な実施形態の動作を実行するために一つ以上のソフトウェアモジュールとして作動するように構成可能であり、逆の場合も同様である。
【０１２１】
本発明の実施形態によるモジュール又はプログラムモジュールは、上記構成要素のうちの少なくとも一つ以上を含み、一部が省略されるか又は追加的な他の構成要素を更に含む。本発明の実施形態によるモジュール、プログラムモジュール、又は他の構成要素により実行される動作は、順次的、並列的、反復的、又はヒューリスティックな方法で実行される。また、一部の動作は、他の順序で実行又は省略されるか、或いは他の動作が追加される。
【０１２２】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０１２３】
２０、４０    外部装置
２０−９、４９、３０５    外部コネクタ
１００    ネットワーク環境
１０１、１０２、１０４、２０１、４０１    電子装置
１０８    サーバ
１２０、４２０    プロセッサ
１２１    メインプロセッサ
１２３    補助プロセッサ
１３０、４３０    メモリ
１３２    揮発性メモリ
１３４    不揮発性メモリ
１３６    内蔵メモリ
１３８    外装メモリ
１４０    プログラム
１４２    オペレーティングシステム
１４４    ミドルウェア
１４６    アプリケーション
１５０    入力装置
１５５    音響出力装置
１６０    ディスプレイ装置
１７０、４６０    オーディオモジュール
１７６    センサモジュール
１７７、４８０    インターフェース
１７８    接続端子
１７９    ハプティックモジュール
１８０    カメラモジュール
１８８    電力管理モジュール
１８９    バッテリー
１９０、４７０    通信モジュール
１９２    無線通信モジュール
１９４    有線通信モジュール
１９６    加入者識別モジュール
１９７    アンテナモジュール
１９８    第１ネットワーク
１９９    第２ネットワーク
２０１−１、３０３−１    ハウジング
２０１−２    タッチスクリーンディスプレイ
２０１−３    レシーバ
２０１−４    マイクロホン装置
２０１−５    センサモジュール
２０１−６    カメラ装置
２０１−７    インジケータ
２０１−８    スピーカ装置
２０１−９、３０３、４９０、５００、６００、８００、１０００    コネクタ
２０１−１０    イヤホンジャック
２０１−１９、３０３−１、３０３−１ａ    開口部
３０３−３ａ、６１１    第１のラッチピン
３０３−３ｂ、６１２    第２のラッチピン
３０３−５    基板
３０３−５ａ、３０３−５ｂ    第１、第２の面
３０５−３ａ、３０５−３ｂ    第１、第２のフック
３０５−１    ヘッダー
４５０    ディスプレイ
４８２、１２８２    ＩＣ（電圧感知回路）
５１１ａ、５１１ｂ、５２２ａ、５２２ｂ、６１１ａ、６１１ｂ、６２２ａ、６２２ｂ、１０１１ａ、１０２２ａ、１０２２ａ、１０２２ｂ    ＧＮＤピン
５１２ａ、６１２ａ    ＳＳＴＸｐ１ピン
５１２ｂ、６１２ｂ    ＳＳＴＸｐ２ピン
５１３ａ、６１３ａ    ＳＳＴＸｎ１ピン
５１３ｂ、６１３ｂ    ＳＳＴＸｎ２ピン
５１４ａ、５１４ｂ、５１９ａ、５１９ｂ、６１４ａ、６１４ｂ、６１９ａ、６１９ｂ    ＶＢＵＳピン
５１５ａ、６１５ａ    ＣＣピン
５１５ｂ、６１５ｂ    ＶＣＯＮＮピン
５１６ａ、５１６ｂ、６１６ａ、６１６ｂ    Ｄｐ１ピン
５１７ａ、５１７ｂ、６１７ａ、６１７ｂ    Ｄｎ１ピン
５１８ａ、６１８ａ、８１８ａ    ＳＢＵ１ピン
５１８ｂ、６１８ｂ、８１８ｂ    ＳＢＵ２ピン
５２０ａ、６２０ａ    ＳＳＲＸｎ２ピン
５２０ｂ、６２０ｂ    ＳＳＲＸｎ１ピン
５２１ａ、６２１ａ    ＳＳＲＸｐ２ピン
５２１ｂ、６２１ｂ    ＳＳＲＸｐ１ピン
１２８２−１、１２８２−２    アンテナ用入力端子Ａ１３、Ｂ１３
【図１】
2019061676.tif 000003
【図２】
2019061676.tif 000004
【図３Ａ】
2019061676.tif 000005
【図３Ｂ】
2019061676.tif 000006
【図４】
2019061676.tif 000007
【図５Ａ】
2019061676.tif 000008
【図５Ｂ】
2019061676.tif 000009
【図６Ａ】
2019061676.tif 000010
【図６Ｂ】
2019061676.tif 000011
【図７】
2019061676.tif 000012
【図８】
2019061676.tif 000013
【図９】
2019061676.tif 000014
【図１０】
2019061676.tif 000015
【図１１】
2019061676.tif 000016
【図１２】
2019061676.tif 000017